(57)【要約】【課題】テレビ受信機からの映像、音声以外の手段を用いて緊急警報放送を感知させることのできるテレビ受信機を提供することを目的とする。【解決手段】受信した緊急警報放送を検出する緊急警報放送検出手段と、リモコンコード情報を書き込みおよび読み出しする不揮発性メモリと、不揮発性メモリに書き込まれたリモコンコード情報を緊急警報放送検出手段の出力に基いて読み出す制御手段と、制御手段の出力に基いて被制御機器に対してＩＲ信号を出力するＩＲ送信手段とを備える。【選択図】図１
2007129614.tif 000002
【特許請求の範囲】
【請求項１】
受信した緊急警報放送を検出する緊急警報放送検出手段と、
リモコンコード情報を書き込みおよび読み出しする不揮発性メモリと、
前記不揮発性メモリに書き込まれたリモコンコード情報を前記緊急警報放送検出手段の出力に基いて読み出す制御手段と、
前記制御手段の出力に基いて被制御機器に対してＩＲ信号を出力するＩＲ送信手段と、
を包含するテレビ受信機。
【請求項２】
リモコンコード情報が記録されている記録媒体から前記リモコンコード情報を読み出す記録媒体装着部をさらに包含し、
前記制御手段は前記記録媒体装着部の出力を前記不揮発性メモリにさらに追加して書き込むことを特徴とする、
請求項１記載のテレビ受信機。
【請求項３】
前記制御手段はダウンロードされたリモコンコード情報を前記不揮発性メモリにさらに追加して書き込むことを特徴とする、
請求項１記載のテレビ受信機。
【発明の詳細な説明】
【技術分野】
【０００１】
本発明は、緊急警報放送に対応するテレビ受信機に関するものである。
【背景技術】
【０００２】
近年、テレビ受信機においては緊急警報放送時には電源投入状態あるいはスタンバイ状態にあればテレビ受信機が緊急警報方法受信に切り替わる。緊急警報放送はＥｍｅｒｇｅｎｃｙ  Ｗａｒｎｉｎｇ  Ｓｙｓｔｅｍ（略してＥＷＳ）とも呼ばれ、例えば地震、津波、その他緊急時に送出されるデータ放送の一種である。放送局からの特定の信号は警報の内容（種類、範囲、日時など）をあらわすデータ信号を含んでいる。緊急警報放送を受信するには、特定の信号によって自動的に動作し、引き続き災害情報を得ることができる機能を持つ受信機が必要である。緊急警報信号受信装置を内蔵した家電製品なら、自動的に電源をオンして警報が流れるようにできている。
【０００３】
ホテル等の複数の部屋を有する場所においては、公共緊急警報放送とは別に館内における緊急事態を伝えるために、通常放送と館内放送を切り替える放送システムが提案されている（例えば特許文献１参照。）。
【０００４】
また浴室用テレビ受信機として、給湯装置で制御されたテレビ機能とインターフォン機能において、テレビ画面が来客の際のインターフォン画面に切り替わると入浴者が驚くため、テレビの画面が切り替わらないようにしたシステムが提案されている（例えば特許文献２参照）。
【特許文献１】特開平２−２６４５２９号公報
【特許文献２】特開２００４−２９３９７４号公報
【発明の開示】
【発明が解決しようとする課題】
【０００５】
しかしながら、入浴時等ではテレビ受信機から映像、音声により緊急警報放送である旨が伝えられても、それに気付かない場合が多い。
【０００６】
特許文献１で提案される放送システムは、館内の緊急事態を各部屋に伝えるために、通常の放送と内部の放送を切り替える技術に関するものであり、使用される場所はホテルなどの公共の場所に限定され、入浴時等での緊急警報放送に対応するものではない。
【０００７】
また、特許文献２で提案されるテレビ受信機システムも、来客時のインターフォン画面をテレビ受信機に表示しないようにするためのテレビ受信機システム内の表示切り替え技術に関するものであり、入浴時等での緊急警報放送に対応するものではない。
【０００８】
本発明は、テレビ受信機からの映像、音声以外の手段を用いて、緊急警報放送を感知させることのできるテレビ受信機を提供することを目的とする。
【課題を解決するための手段】
【０００９】
この目的を達成するために本発明のテレビ受信機は、受信した緊急警報放送を検出する緊急警報放送検出手段と、リモコンコード情報を書き込みおよび読み出しする不揮発性メモリと、不揮発性メモリに書き込まれたリモコンコード情報を緊急警報放送検出手段の出力に基いて読み出す制御手段と、制御手段の出力に基いて被制御機器に対してＩＲ信号を出力するＩＲ送信手段と、を包含することを特徴とする。
【００１０】
また、リモコンコード情報が記録されている記録媒体から前記リモコンコード情報を読み出す記録媒体装着部をさらに包含し、制御手段は記録媒体装着部の出力を不揮発性メモリにさらに追加して書き込むことを特徴とする。
【００１１】
また、制御手段はダウンロードされたリモコンコード情報を前記不揮発性メモリにさらに追加して書き込むことを特徴とする。
【発明の効果】
【００１２】
以上のように本発明によれば、テレビの映像、音声だけではなく被制御機器への制御命令により、緊急警報放送を感知させることのできるテレビ受信機を提供することができるという優れた効果が得られる。
【発明を実施するための最良の形態】
【００１３】
（実施の形態１）
以下に、本発明の実施の形態１について、図面を参照して説明する。
【００１４】
図1は、本発明の実施の形態１におけるテレビ受信機およびその被制御機器の構成を示すブロック図である。図1において、１０１は家庭における浴室、１０２は浴室１０１内のテレビ受信機、１３１は浴室１０１内の被制御機器である浴槽、１３３は浴室１０１内の被制御機器である照明装置、１３５は浴室１０１内の被制御機器である空調装置である。テレビ受信機１０２において、１０３はＩＲ送信手段、１０４は通常のテレビ放送および緊急警報放送を受信するアンテナ、１１０はチューナ、１２１は緊急警報放送検出手段であるＥＷＳ検出部、１２２はサブマイクロコントローラ、１２３はメイン電源回路、１２４はスタンバイ電源回路、１１１は不揮発性メモリ、１１２はＲＡＭ、１１３は制御手段であるマイクロコントローラ、１１４は記録媒体装着部、１１５は記録媒体、１１６は入力装置、１１７は映像信号処理部、１１８はディスプレイ、１１９は音声信号処理部、１２０はスピーカ部である。また、１３２は浴槽１３１用のＩＲ受信手段、１３４は照明装置１３３用のＩＲ受信手段、１３６は空調装置１３５用のＩＲ受信手段である。
【００１５】
次にその動作を説明する。マイクロコントローラ１１３はテレビ受信機１０２の全体を制御する。通常の放送においては、制御用プログラムは不揮発性メモリ１１１に保存されており、ＲＡＭ１１２にて制御用プログラムは動作する。テレビ受信機１０２は入力装置１１６によって操作される。チューナ１１０で受信された放送は、映像データは映像信号処理部１１７を介してディスプレイ１１８に出力され、音声データは音声信号処理部１１９を介してスピーカ１２０に出力される。
【００１６】
ここで、図２を用いて緊急警報放送の検出から被制御機器を制御するまでの処理について説明する。メイン電源１２３がオフとされているスタンバイ状態である場合には、スタンバイ電源回路１２４から供給されるスタンバイ電源でチューナ１１０、ＥＷＳ検出部１２１およびサブマイクロコントローラ１２２等が動作可能となっている。チューナ１１０はアンテナ１０４を介して放送信号を受信する。ＥＷＳ検出部１２１は、チューナ１１０から供給される中間周波の変調波を復調、復号して緊急警報放送起動用フラグの有無を判断する（Ｓ２１１）。緊急警報放送起動用フラグを検出した場合は、ハイレベルのＥＷＳ信号をサブマイクロコントローラ１２２に供給する。緊急警報放送起動用フラグを検出しない場合は、ローレベルのＥＷＳ信号をサブマイクロコントローラ１２２に供給する。サブマイクロコントローラ１２２はＥＷＳ信号を受けて、電源制御信号をメイン電源回路１２３に供給する。次に、メイン電源回路１２３のオンオフを判断する（Ｓ２１２）。メイン電源回路１２３がオフの場合はメイン電源回路１２３をオンする（Ｓ２１３）。一方、既にメイン電源回路１２３がオンの場合はそのままとする。これにより通常の動作モードとなり緊急警報放送を受信可能となる。緊急警報放送起動用フラグを検出した場合はＥＷＳ検出部１２１はマイクロコントローラ１１３に対してもハイレベルのＥＷＳ信号を供給する。マイクロコントローラ１１３は緊急警報放送に受信切替する（Ｓ２１４）。受信した放送をディスプレイ１１８やスピーカ１２０で再生する。
【００１７】
また、マイクロコントローラ１１３は不揮発性メモリ１１１に書き込まれている被制御機器用のリモコンコード情報を読み出し、これをＩＲ送信手段１０３に供給する（Ｓ２１５）。ＩＲ送信手段１０３はリモコンコード情報をＩＲ信号に変調し、これを送信する（Ｓ２１６）。
【００１８】
被制御機器では照明や空調、水流といった五感に感じられる複数の手段を用いて緊急警報放送を感知させることができる。被制御機器が浴槽１３１の場合には、ＩＲ受信手段１３２でＩＲ信号を受信しリモコンコードに復調する。リモコンコードには例えばジャグジーやジェット噴流機能をオンにする等の水流を変化させる機能を含めることができる。これにより入浴者の注意を促すことが可能となる。被制御機器が照明装置１３３の場合には、ＩＲ受信手段１３４でＩＲ信号を受信しリモコンコードに復調する。リモコンコードには例えば照明をオンオフを繰り返す等の照明を変化させる機能を含めることができる。これにより入浴者の注意を促すことが可能となる。被制御機器が空調装置１３５の場合には、ＩＲ受信手段１３６でＩＲ信号を受信しリモコンコードに復調する。リモコンコードには例えば風量を最大にするといった空調を変化させる機能を含めることができる。これにより入浴者の注意を促すことが可能となる（Ｓ２１７）。これらの被制御機器は、一の機器に限定してもよく、マイクロコントローラ１１３から順番に該当リモコンコード情報を出力することにより複数の機器とする構成でもよい。
【００１９】
また、被制御機器の追加、買い替えによる変更の場合には、リモコンコード情報を追加する必要がある。このため予めリモコンコード情報が記録されている記録媒体１１５を記録媒体装着部１１４に装着してリモコンコード情報を読み出し、マイクロコントローラ１１３はこれを不揮発性メモリ１１１に追加して書き込むことができる。また、アンテナ１０４からの放送またはインターネット（図示せず）を介してソフトウェアダウンロードされたリモコンコード情報をマイクロコントローラ１１３はこれを不揮発性メモリ１１１に追加して書き込むことができる。
【００２０】
一般に、リモコンで制御される機器は特異のコード体系を持つため、被制御機器のリモコンコードを出力することにより制御可能となる。ここでリモコンコードについて説明する。通常のテレビにおいては、ＩＲは記録再生装置の制御に使用されることが多い。テレビで設定した予約録画に応じて、記録再生装置用の電源オンコマンドや録画開始コマンドを出力することができる。リモコンコードの一例として家製協（「財団法人家電製品協会」の略称）フォーマットについて図３を用いて説明する。家製協フォーマットはリーダー３３１、メーカーコード３３２、メーカーパリティ３３３、事業部コード３３４、機器コード３３５、データコード３３６、機器データパリティ３３７、トレーラー３３８からなる。機器によって可変するものは、メーカーコード３３２、事業部コード３３４、機器コード３３５、データコード３３６となる。リーダ３３１からトレーラー３３８までが順番に出力される。
【００２１】
以上のように本発明によれば、テレビの映像、音声だけではなく被制御機器への制御命令により照明や空調、水流といった五感に感じられる手段を提供することができ、緊急警報放送を感知させることのできるテレビ受信機を提供することができる。
【産業上の利用可能性】
【００２２】
本発明のテレビ受信機は、テレビの映像、音声だけではなく被制御機器への制御命令により、緊急警報放送を感知させることができるという優れた効果を有しているため、浴室用テレビ受信機等において有用である。
【図面の簡単な説明】
【００２３】
【図１】本発明の実施の形態１におけるテレビ受信機およびその被制御機器の構成を示すブロック図
【図２】本発明の実施の形態１における緊急警報放送時のテレビ受信機の処理動作を示すフローチャート
【図３】リモコンコードのフォーマットを示す図
【符号の説明】
【００２４】
１０１    浴室
１０２    テレビ受信機
１０３    ＩＲ送信手段
１０４    アンテナ
１１０    チューナ
１１１    不揮発性メモリ
１１２    ＲAＭ
１１３    マイクロコントローラ
１１４    記録媒体装着部
１１５    記録媒体
１１６    入力装置
１１７    映像信号処理部
１１８    ディスプレイ
１１９    音声信号処理部
１２０    スピーカ
１２１    ＥＷＳ検出部
１２２    マイクロコントローラ
１２３    メイン電源回路
１２４    スタンバイ電源回路
１３１    浴槽
１３３    照明装置
１３５    空調装置
１３２、１３４、１３６    ＩＲ受信手段
【図１】
2007129614.tif 000003
【図２】
2007129614.tif 000004
【図３】
2007129614.tif 000005